(57)【要約】【課題】このような通話中の携帯電話から出力される送信信号による妨害をなくすとともに受信感度の良好な電子チューナを提供する。【解決手段】テレビ用入力端子２５と第１のフィルタ２７との間に挿入されるとともに電流値を制御する電流制御用入力２６ａを有する高周波増幅器２６と、この高周波増幅器２６の出力と電流制御用入力２６ａとの間に挿入されるとともに送信信号を検出して高周波増幅器２６の電流を制御する電流制御部４２を設け、携帯電話２３が送信信号を送信中に高周波増幅器２６の電流を大きく設定する。【選択図】図１
2008141716.tif 000002
【特許請求の範囲】
【請求項１】
携帯電話装置に内蔵される電子チューナにおいて、前記電子チューナは、テレビ放送信号が入力されるテレビ用入力端子と、このテレビ用入力端子に入力された信号が供給されるとともに前記携帯電話装置の携帯電話からの送信信号を阻止する第１のフィルタと、この第１のフィルタからの出力が一方の入力に供給される混合器と、この混合器の他方の入力に接続された発振器と、前記混合器の出力が供給されるテレビ用出力端子とを備え、前記テレビ用入力端子と前記第１のフィルタとの間に挿入されるとともに電流値を制御する電流制御用入力を有する第１の高周波増幅器と、この第１の高周波増幅器の出力と前記電流制御用入力との間に挿入されるとともに前記送信信号を検出して前記第１の高周波増幅器の電流を制御する電流制御部を設け、前記携帯電話が前記送信信号を送信中は前記第１の高周波増幅器の電流を大きく設定する電子チューナ。
【請求項２】
電流制御部は、段階的に立ち上がる送信信号の中の最初に立ち上がる信号を検出して第１の高周波増幅器の電流を制御する請求項１に記載の電子チューナ。
【請求項３】
ＧＳＭ方式の携帯電話装置に用いられる電子チューナであって、電流制御部は、携帯電話から送信されるバースト信号の存在する時間には第１の高周波増幅器の電流を大きく設定し、前記バースト信号の存在しない時間には前記第１の高周波増幅器の電流を小さく設定する請求項１に記載の電子チューナ。
【請求項４】
第１のフィルタは、送信信号を抑圧するノッチフィルタで構成される請求項１に記載の電子チューナ。
【請求項５】
テレビ用入力端子と第１の高周波増幅器の入力との間に送信信号を抑圧する第２のフィルタを挿入し、この第２のフィルタの前記送信信号に対する抑圧量は、第１のフィルタの前記送信信号に対する抑圧量より小さく設定される請求項１に記載の電子チューナ。
【請求項６】
電流制御部は、送信信号を通過させる第３のフィルタと、この第３のフィルタからの送信信号を検出する検出回路と、この検出回路の出力と第１の高周波増幅器の電流制御用入力との間に接続されるとともに前記第１の高周波増幅器の電流を制御する電流制御回路とからなる請求項１に記載の電子チューナ。
【請求項７】
第３のフィルタと検出回路との間に第２の高周波増幅器を挿入し、前記検出回路から第１のフィルタの入力へのアイソレーションを大きくした請求項６に記載の電子チューナ。
【請求項８】
第３のフィルタは、入力から出力に向かって順に、第１のコンデンサとインダクタが直列に接続された請求項７に記載の電子チューナ。
【請求項９】
検出回路は、第３のフィルタの出力とグランド間に接続された検波器と、インダクタと第１のコンデンサの接続点と電流制御回路の入力との間に接続された抵抗と、前記電流制御回路の入力とグランド間に接続された第２のコンデンサとからなり、前記検波器からの検波電圧が前記抵抗を介して電流制御回路の入力に供給される請求項８に記載の電子チューナ。
【請求項１０】
第１の高周波増幅器の出力と第１のフィルタの入力との間に挿入されるとともに前記第１の高周波増幅器の出力信号の一部が出力される出力端子を有する抽出回路を設け、前記抽出回路の前記出力端子が電流制御部の入力に接続される請求項１に記載の電子チューナ。
【請求項１１】
第１の高周波増幅器の出力と第１のフィルタの入力との間に挿入されるとともに前記第１の高周波増幅器の出力信号を分配した信号が出力される出力端子を有する電力分配器を設け、前記電力分配器の前記出力端子が電流制御部の入力に接続される請求項１に記載の電子チューナ。
【請求項１２】
第１の高周波増幅器の出力と第１のフィルタの入力との間に挿入されるとともに前記第１の高周波増幅器の出力信号の一部が出力される出力端子を有するアイソレータを設け、前記アイソレータの前記出力端子が電流制御部の入力に接続される請求項１に記載の電子チューナ。
【請求項１３】
請求項１に記載の電子チューナを用いた携帯電話装置。
【発明の詳細な説明】
【技術分野】
【０００１】
本発明は、携帯電話を使用中であってもテレビ放送信号を受信できる電子チューナとこれを用いた携帯電話装置に関するものである。
【背景技術】
【０００２】
以下、従来の携帯電話装置１について図１１を用いて説明する。従来の携帯電話装置１は、テレビ放送信号を受信する電子チューナ２と、携帯電話３とから構成されていた。電子チューナ２は、テレビ放送信号が入力されるテレビ用入力端子５と、このテレビ用入力端子５に接続されるとともにテレビ放送信号以外の信号を抑圧するフィルタ６と、このフィルタ６の出力が接続される高周波増幅器７と、この高周波増幅器７の出力が接続されるとともに利得制御が可能な高周波増幅器８と、この高周波増幅器８の出力が一方の入力に供給されるとともに他方の入力には発振器１０の出力が接続された混合器１２と、この混合器１２の出力が接続されたフィルタ１３と、このフィルタ１３の出力が接続されたテレビ用復調回路１４と、このテレビ用復調回路１４の出力が接続された出力端子１５とが設けられたものであった。
【０００３】
一方、携帯電話３は、送受信回路１７と、この送受信回路１７および出力端子１５からの信号がそれぞれ供給される信号処理回路１８から構成されている。
【０００４】
なお、この出願の発明に関連する先行技術文献情報としては、例えば、特許文献１が知られている。
【特許文献１】特開２０００−１３３５７号公報
【発明の開示】
【発明が解決しようとする課題】
【０００５】
このような従来の電子チューナ２では、通話中の携帯電話３から出力される送信信号により電子チューナ２で歪が発生し、テレビ放送信号を高品質で受信できなかった。この携帯電話３から出力される送信信号を抑圧するために、電子チューナ２のテレビ用入力端子５に多段構成としたフィルタ６が接続されていた。
【０００６】
ところが、例えばＵＨＦ放送信号の最上位チャンネルである７７０ＭＨｚに対して、携帯電話３から出力される送信信号は８３０ＭＨｚと近接している。また、携帯電話３から出力される送信信号は非常に大きく、さらに携帯電話用アンテナ３ａとテレビ用アンテナ２ａとは近接していた。このため、電子チューナ２のフィルタ６では、約７０ｄＢ以上の大きな減衰量が必要であった。
【０００７】
そのため、図１１の従来例の電子チューナ２では、このようなフィルタ６をテレビ用入力端子５と高周波増幅器７の間に挿入することが必要となった。これにより、携帯電話３を使用中においても、テレビ放送信号の受信を可能とした。
【０００８】
しかしながら、このように約７０ｄＢもの急激な減衰量を有するフィルタ６は、多段構成となる。このために挿入損失が例えば３〜４ｄＢと大きくなってしまった。
【０００９】
このように挿入損失の大きなフィルタ６を、テレビ用入力端子５の出力に直接に接続しているために、テレビ放送信号が小さい場合の受信感度が、フィルタ６の挿入損失３〜４ｄＢの分だけ劣化するという問題があった。
【００１０】
そこで本発明は、この問題を解決したもので、このような通話中の携帯電話から出力される送信信号による妨害をなくすとともに受信感度の良好な電子チューナを提供することを目的としたものである。
【課題を解決するための手段】
【００１１】
この目的を達成するために本発明の電極子チューナは、テレビ用入力端子と第１のフィルタとの間に挿入されるとともに電流値を制御する電流制御用入力を有する第１の高周波増幅器と、この第１の高周波増幅器の出力と前記電流制御用入力との間に挿入されるとともに送信信号を検出して前記第１の高周波増幅器の電流を制御する電流制御部を設け、携帯電話が前記送信信号を送信中は前記第１の高周波増幅器の電流を大きく設定する。
【００１２】
これにより、初期の目的を達成することができる。
【発明の効果】
【００１３】
以上のように本発明は、テレビ用入力端子と第１のフィルタとの間に挿入されるとともに電流値を制御する電流制御用入力を有する第１の高周波増幅器と、この第１の高周波増幅器の出力と前記電流制御用入力との間に挿入されるとともに送信信号を検出して前記第１の高周波増幅器の電流を制御する電流制御部を設け、携帯電話が前記送信信号を送信中は前記第１の高周波増幅器の電流を大きく設定する。
【００１４】
このようにして、通話中の携帯電話の送信信号を検出する電流制御部により第１の高周波増幅器の電流値を大きくできるので、携帯電話による妨害をなくすことができる。
【００１５】
また、テレビ用入力端子と第１のフィルタとの間に第１の高周波増幅器を挿入しているので、受信感度の劣化を改善することができる。
【００１６】
さらに、携帯電話を使用しない場合には、第１の高周波増幅器の電流を小さく設定するので低消費電力とできる。
【発明を実施するための最良の形態】
【００１７】
（実施の形態１）
図１は、携帯電話装置２０のブロック図である。図１において、携帯電話装置２０は、テレビ用アンテナ２１からのテレビ放送信号（ＶＨＦ放送信号、ＵＨＦ放送信号）を受信する電子チューナ２２と、携帯電話用アンテナ２４に接続される携帯電話２３とから構成されている。
【００１８】
最初に、電子チューナ２２について以下説明する。この電子チューナ２２は、テレビ用アンテナ２１に接続されるテレビ用入力端子２５と、このテレビ用入力端子２５に接続されるとともに電流値の制御可能な電流制御用入力２６ａが設けられた高周波増幅器２６と、この高周波増幅器２６の出力が接続されるとともにテレビ放送信号以外の信号を抑圧する第１のフィルタ２７と、この第１のフィルタ２７の出力が接続されるとともに利得制御の可能な利得制御用入力２９ａが設けられた高周波増幅器２９と、この高周波増幅器２９の出力が一方の入力に接続されるとともに他方の入力には発振器３０の出力が接続された混合器３２と、この混合器３２の出力が接続されるとともに中間周波信号を通過させるフィルタ３３と、このフィルタ３３の出力が接続されたテレビ用復調回路３４と、このテレビ用復調回路３４から出力されたＴＳ（トランスポートストリーム）信号が供給されるテレビ用出力端子３５と、発振器３０をＰＬＬ制御するＰＬＬ制御回路３６と、携帯電話２３の送信信号が供給される入出力端子２３ａと、高周波増幅器２６の出力に接続されるとともに携帯電話２３からの送信信号を通過させる第３のフィルタ３８と、この第３のフィルタ３８の出力が接続されるとともに送信信号を検出する検出回路４０と、この検出回路４０の出力と電流制御用入力２６ａの間に接続されるとともに高周波増幅器２６の電流値を制御する電流制御回路４１とから構成されている。
【００１９】
ここで、電流制御部４２は、第３のフィルタ３８と、検出回路４０と、電流制御回路４１とから構成されている。また、混合器３２の出力は利得制御回路４４の入力に接続されている。この利得制御回路４４の出力は利得制御用入力２９ａに接続されている。
【００２０】
第３のフィルタ３８は、入力端子３８ａから出力端子３８ｂに向かって順に、コンデンサ３８ｃ、インダクタ３８ｄが接続されている。
【００２１】
検出回路４０は、第３のフィルタ３８の出力端子３８ｂとグランド間に接続された検波器４０ａと、コンデンサ３８ｃとインダクタ３８ｄの接続点３８ｅと電流制御回路４１の入力との間に接続された抵抗４０ｂと、電流制御回路４１の入力とグランド間に接続されたコンデンサ４０ｃとから構成されている。
【００２２】
このように構成された電子チューナ２２の動作について説明する。アンテナ２１で受信したテレビ放送信号は、高周波増幅器２６に入力される。この高周波増幅器２６からの出力信号は、携帯電話から出力される送信信号を抑圧する第１のフィルタ２７に入力される。
【００２３】
この第１のフィルタ２７からの出力信号は、高周波増幅器２９により利得制御された後、混合器３２の一方の入力に供給され、他方の入力には発振器３０の出力信号が供給されている。
【００２４】
この混合器３２から出力される例えば５７ＭＨｚの中間周波信号は、フィルタ３３により希望信号以外の妨害信号が抑圧される。また、発振器３０はＰＬＬ制御回路３６から出力される制御信号により周波数が制御されている。
【００２５】
さらに、利得制御回路４４から出力される利得制御電圧は、高周波増幅器２９の利得制御用入力２９ａに供給される。これにより、混合器３２の出力信号が一定のレベルになるように利得制御される。
【００２６】
なお、利得制御回路４４への入力は、フィルタ３３の出力を供給してもよい。この場合、フィルタ３３により送信信号や隣接チャンネル等の妨害信号を抑圧できるので、これら妨害信号による利得制御への影響を少なくできる。
【００２７】
そして、混合器３２の出力信号は、フィルタ３３により妨害信号が十分に抑圧されたのち、テレビ用復調回路３４に入力される。このテレビ用復調回路３４から出力されるＴＳ信号は、テレビ用出力端子３５から出力される。
【００２８】
以上のように、テレビ用入力端子２５に入力されたテレビ放送信号は、高周波増幅器２６において増幅され、高周波増幅器２９において利得制御が行われ、混合器３２により周波数が変換され、第１のフィルタ２７、フィルタ３３により送信信号あるいは妨害信号が抑圧された信号がテレビ用復調回路３４に入力される。そして、テレビ用復調回路３４で復調されたＴＳ信号がテレビ用出力端子３５から出力される。
【００２９】
次に、携帯電話２３について以下説明する。この携帯電話２３は、携帯電話用アンテナ２４が接続される入出力端子２３ａと、この入出力端子２３ａに接続される送受信回路４３と、この送受信回路４３の出力端子４３ｂとテレビ用復調回路３４の出力とがそれぞれ接続されるとともに入力信号を復号化する復号化回路４６と、この復号化回路４６の出力が接続される映像表示部４７および音声出力部４８と、音声・データ信号が入力される音声・データ入力部４９と、この音声・データ入力部４９と送受信回路４３の入力端子４３ｃとの間に接続されるとともに音声・データ信号を符号化する符号化回路５０と、送受信回路４３およびＰＬＬ制御回路３６を制御する制御部５２とから構成されている。
【００３０】
このように構成された携帯電話２３の動作について説明する。制御部５２からの制御信号により、携帯電話２３が通話状態とされる。これにより、携帯電話２３の送受信回路４３から出力される送信信号は、携帯電話用アンテナ２４から出力される。
【００３１】
図２は、携帯電話装置２０におけるテレビ放送信号と送信信号の関係を表している。なお、横軸６１は周波数（ＭＨｚ）であり、縦軸６２はレベル（ｄＢｍ）である。
【００３２】
図２において、ＶＨＦ放送信号６５は、９０ＭＨｚ〜２２０ＭＨｚの帯域を有している。ＵＨＦ放送信号６６は、４７０ＭＨｚ〜７７０ＭＨｚの帯域を有している。
【００３３】
携帯電話２３の送受信回路４３から出力される送信信号６７、６８、６９は、例えば国内のＰＤＣ方式では入出力端子２３ａにおいて＋２８ｄＢｍのレベルになることもある。この入出力端子２３ａから出力される送信信号Ｖｔｘは、携帯電話用アンテナ２４から出力され空中を伝播し、携帯電話用アンテナ２４の近傍に設けられたテレビ受信用アンテナ２１で受信されてしまう。
【００３４】
そして、送信信号６８、６９はそれぞれ異なる周波数帯を利用した携帯電話の送信回路から出力される信号の一例であり、それぞれ１．５ＧＨｚと１．９ＧＨｚの周波数である。これらは、ＵＨＦ放送信号６６の周波数から十分に離れているため、影響は小さい。
【００３５】
しかしながら、テレビ用アンテナ２１と携帯電話用アンテナ２４は、小型化された携帯電話装置２０に装着されているので、テレビ用アンテナ２１と携帯電話用アンテナ２４とは高周波的に十分な距離が確保できない。
【００３６】
このため、携帯電話用アンテナ２４から出力される送信信号は、空中を介してテレビ用アンテナ２１で受信されてしまう。ここで、携帯電話用アンテナ２４からテレビ用アンテナ２１までのアイソレーションＶｉｓｏを例えば３０ｄＢと仮定する。
【００３７】
このテレビ用アンテナ２１で受信される送信信号Ｖｕは、（数１）より−２ｄＢｍとなる。
【００３８】
【数１】
2008141716.tif 000003
【００３９】
この送信信号Ｖｕは、第１のフィルタ２７、フィルタ３３により抑圧されたのちに、テレビ用復調回路３４に入力される。ところが、第１のフィルタ２７では送信信号が十分に抑圧されていない。このような送信信号が、高周波増幅器２６、２９により増幅されて混合器３２に入力されることになる。このため、混合器３２では、送信信号による歪が最も発生しやすくなり、この送信信号Ｖｕによって電子チューナ２２の妨害性能がほとんど決定されてしまうことになる。
【００４０】
この混合器３２における妨害を抑圧するためには、第１のフィルタ２７の送信信号に対する抑圧が重要となる。この第１のフィルタ２７の送信信号に対する所要抑圧比Ｓ１について以下、説明する。
【００４１】
混合器３２の入力レベルＶ（Ｐ１ｄＢ）を−４０ｄｍとする。なお、Ｖ（Ｐ１ｄＢ）とは、入力信号レベルの増加に対して出力信号レベルが−１ｄＢとなって出力信号レベルの飽和する入力信号レベルである。
【００４２】
この混合器３２の前段に挿入された第１のフィルタ２７における所要抑圧比Ｓ１は、（数２）より６８ｄＢとなり、およそ７０ｄＢとなる。なお、高周波増幅器２６の電力利得Ｇ１を＋１５ｄＢとし、高周波増幅器２９の電力利得Ｇ２を＋１５ｄＢとしている。
【００４３】
【数２】
2008141716.tif 000004
【００４４】
ところが、この送信信号６７とＵＨＦ放送信号６６の最上位のチャンネル（６２ｃｈ）との間隔７０は６０ＭＨｚと近接している。
【００４５】
このような送信信号による妨害特性とフィルタの損失による受信感度の両性能を改善できる電子チューナ２２について以下説明する。
【００４６】
最初に、受信感度を改善する方法について、図１を用いて説明する。すなわち、テレビ用入力端子２５と第１のフィルタ２７の間に優れた雑音指数および歪特性を有する中電力タイプの高周波増幅器２６を挿入する。
【００４７】
このように、第１のフィルタ２７の前に高周波増幅器２６を挿入することにより、第１のフィルタ２７による挿入損失を軽減することができる。すなわち、受信感度を改善することができる。
【００４８】
次に、図３（ａ）〜（ｃ）、図４を用いて、高周波増幅器２６の送信信号による妨害を改善する方法について説明する。
【００４９】
第１のフィルタ２７よりテレビ用アンテナ２１側に挿入した高周波増幅器２６では、使用中の携帯電話２３の送信信号により妨害が発生してしまう。この妨害を改善するために、高周波増幅器２６には、図３（ａ）〜（ｃ）で表されるように優れた歪特性を有する中電力タイプの半導体素子を用いる。
【００５０】
図３（ａ）は、電流９１に対する増幅度９２を表し、高周波増幅器７（図１１を参照）の増幅度７ｂ、高周波増幅器２６の増幅度２６ｂをそれぞれ点線、実線で表している。
【００５１】
図３（ｂ）は、電流９１に対する雑音指数９３を表し、高周波増幅器７の雑音指数７ｃ、高周波増幅器２６の雑音指数２６ｃをそれぞれ点線、実線で表している。
【００５２】
図３（ｃ）は、電流９１に対するＶ（Ｐ１ｄＢ）９４を表している。高周波増幅器７のＶ（Ｐ１ｄＢ）７ｄを点線で、高周波増幅器２６のＶ（Ｐ１ｄＢ）２６ｄを実線で表している。
【００５３】
図３（ａ）〜（ｃ）において、高周波増幅器７は、最大定格が２０ｍＡの半導体素子であり、実際に使用する電流を電流値１０１（８ｍＡ）として用いている。特に、図３（ｃ）に表されるように、高周波増幅器７では電流値１０１ａ（１５ｍＡ）を大きくしてもＶ（Ｐ１ｄＢ）９４ａとなって改善度が小さい。
【００５４】
これに対して、高周波増幅器２６では、最大定格が１００ｍＡであり、実際の使用する電流を電流値１０１（８ｍＡ）あるいは電流値１０２（４０ｍＡ）としてそれぞれ用いることができる。特に、電流値１０２（４０ｍＡ）で用いた場合には、Ｖ（Ｐ１ｄＢ）９４ｂと大幅に改善できる。
【００５５】
また、高周波増幅器２６では、電流値１０２（４０ｍＡ）での増幅度、雑音指数はともに、電流値１０１（８ｍＡ）での増幅度、雑音指数に比べて、劣化度がほとんどない。
【００５６】
図４は、この高周波増幅器２６を用いた電子チューナ２２において、テレビ用入力端子２５から入力される送信信号レベル１０５に対する電子チューナ２２の受信品質であるＢＥＲ（ビットエラーレート）１０６を表している。
【００５７】
この高周波増幅器２６の電流値１０１（８ｍＡ）における電子チューナのＢＥＲ１０７を点線で表し、電流値１０２（４０ｍＡ）における電子チューナのＢＥＲ１０８を実線で表している。
【００５８】
図４において、ＢＥＲ１０７（点線）では、送信信号レベル１０５ａより大きい場合には、ＢＥＲが劣化している。しかし、ＢＥＲ１０８（実線）では、送信信号レベル１０５ａより大きい送信信号レベル１０５ｂであってもＢＥＲが劣化していない。
【００５９】
このように、高周波増幅器２６に優れた歪特性を有する中電力タイプの半導体素子を用い、送信信号レベルが送信信号レベル１０５ａより大きい場合には、電流制御部４２により高周波増幅器２６の電流を大きく設定する。これにより、高周波増幅器２６では、雑音指数を損なうことなく、Ｖ（Ｐ１ｄＢ）を大幅に改善できる。このようにして、高周波増幅器２６の歪を無くすことができる。
【００６０】
また、送信信号レベルが送信信号レベル１０５ａより小さい場合には、高周波増幅器２６の電流を小さくする。これにより、通話中でない場合には、消費電力を削減できる。
【００６１】
図５は、第１のフィルタ２７の回路図である。この第１のフィルタ２７には、一例として特定の周波数を取り除くノッチフィルタの形式を用いている。第１のフィルタ２７は、入力端子２７ａ、出力端子２７ｂを有している。この入力端子２７ａから出力端子２７ｂに向かって順に、インダクタ７２ａとコンデンサ７２ｂとの並列接続体７２と、インダクタ７３ａとコンデンサ７３ｂとの並列接続体７３とが直列に接続されている。さらに、並列接続体７２、７３との接続点とグランドとの間に、インダクタ７５ａとコンデンサ７５ｂとの直列接続体７５が接続されている。
【００６２】
ここで、並列接続体７２、７３の並列共振周波数および直列接続体７５の直列共振周波数を、８３０ＭＨｚ付近とし、この８３０ＭＨｚ付近を減衰させている。
【００６３】
図６は、以上のように構成された第１のフィルタ２７の周波数に対する選択特性８１である。なお、横軸７９は周波数（ＭＨｚ）であり、縦軸８０は減衰量（ｄＢ）である。
【００６４】
図６において、ＵＨＦ放送信号６６（図２）の最上位チャンネルである７７０ＭＨｚの周波数８３までは、略平坦な特性を示している。そして、妨害信号としての送信信号６７（図２）の存在する８３０ＭＨｚの周波数８４では、約７０ｄＢ以上の大きな減衰量を得ることができる。
【００６５】
このように構成された第１のフィルタ２７を用いることにより、高周波増幅器２９、混合器３２における送信信号による妨害を抑圧することができる。
【００６６】
次に、送信信号を検出し、この検出した結果により高周波増幅器２６の電流値を制御する電流制御部４２について説明する。
【００６７】
送受信回路４３からの送信信号は、高周波増幅器２６で増幅され、第３のフィルタ３８の入力端子３８ａに供給される。この第３のフィルタ３８は、入力端子３８ａから出力端子３８ｂに向かって順に接続されたコンデンサ３８ｃと、インダクタ３８ｄとの直列共振回路から構成され、この直列共振周波数は、送信信号の周波数８３０ＭＨｚとほぼ一致させている。
【００６８】
この第３のフィルタ３８の出力端子３８ｂは検波器４０ａのカソードを接続し、検波器４０ａのアノードをグランドに接続している。これにより、第３のフィルタ３８を通過した送信信号は、検波器４０ａにより検波される。この検波された電圧は、抵抗４０ｂとコンデンサ４０ｃからなる積分回路により平均化される。この抵抗４０ｂは、応答時間の関係より、例えば５００Ωとしている。
【００６９】
この５００Ωの抵抗４０ｂの一端は、コンデンサ３８ｃとインダクタ３８ｄとの接続点３８ｅに接続している。これにより、検波器４０ａに入力される高周波である送信信号がダンピングされるのを防止できる。従って、検波器４０ａにおいて十分な検波電圧を得ることができる。
【００７０】
例えば、出力端子３８ｂと電流制御回路４１の入力との間に抵抗４０ｂを接続した場合について説明する。コンデンサ３８ｃとインダクタ３８ｄとの直列共振周波数は送信信号の周波数と一致させている。このため、出力端子３８ｂは、送信信号の周波数において、直接に抵抗４０ｂによりダンピングされてしまう。このため、検波電圧が損なわれてしまう。
【００７１】
このようにして、コンデンサ４０ｃに充電された電圧は、電流制御回路４１に供給される。この電流制御回路４１の出力は、高周波増幅器２６の電流制御用入力２６ａに供給される。
【００７２】
例えば、送信信号が存在する場合には、コンデンサ４０ｃの充電電圧が大きくなり、高周波増幅器２６の電流値を大きく設定する。また、送信信号が存在しないか、あるいは小さい場合には、コンデンサ４０ｃの充電電圧が小さくなり、高周波増幅器２６の電流値を小さく設定すればよい。
【００７３】
以上のようにして、送信信号を検出した場合には、電流制御部４２により高周波増幅器２６の電流を大きくする。これにより、携帯電話２３で通話中であっても、テレビ受信が可能となる。また、送信信号がないあるいは小さい場合には、高周波増幅器２６の電流を小さくする。これにより、通話中でない場合には、消費電力を削減できる。
【００７４】
図７は、ＧＳＭ方式の送信信号を用いた携帯電話において、タイム１１０に対する各信号の出力レベル１１１を表している。この信号レベルとしては、ＧＳＭの送信信号であるバースト信号１１３と電流制御回路４１から出力される電流制御信号１１４を表している。
【００７５】
図７において、ＧＳＭ方式の送信信号であるバースト信号１１３は、信号１１３ａの次に信号１１３ｂが存在し、さらに同様の信号が連続して送られてくる。
【００７６】
この信号１１３ａの開始のタイム１１０ａから信号１１３ｂの開始のタイム１１０ｂまでの期間１１０ｃは、例えば４６００ｕｓｅｃである。さらに、信号１１３ａの開始のタイム１１０ａから終了するタイム１１０ｄまでの期間１１１ｅは、例えば５７０ｕｓｅｃである。
【００７７】
この信号１１３ａは、タイム１１０ａには出力レベル１１１ａとなり、タイム１１０ｆにおいて出力レベル１１１ｂとさらに大きくなり、タイム１１０ｇにおいて最終の出力レベル１１１ｃとなるように段階的に設定されている。この段階的に設定された信号１１３ａは、信号１１３ｂ、あるいはこの信号１１３ｂに続く信号においても同様である。
【００７８】
このように、信号１１３ａ、１１３ｂの出力レベルは段階的に設定されている。この理由は、以下のようである。すなわち、送受信回路４３に設けられた送信回路の電力増幅器が多段に構成されており、これら多段の電力増幅器の動作が順番に開始されるように制御されているからである。
【００７９】
これにより、送受信回路４３内にある電力増幅器による発振器への急激な負荷変動を抑えることができる。従って、この発振器の発振器周波数の変動を小さくすることができる。
【００８０】
次に、図７において、電流制御部４２から出力される電流制御信号１１４について説明する。送信信号であるバースト信号１１３が、入力端子３８ａから検出回路４０に供給される。
【００８１】
この検出回路４０の検波器４０ａにより、検波された電圧は、抵抗４０ｂとコンデンサ４０ｃとからなる積分回路により電圧が平均化される。この平均化された信号は電流制御回路４１に供給される。
【００８２】
また、電流制御回路４１から出力される電流制御信号１１４ａのタイム１１０ａから立ち上げるタイム１１０ｈまでの期間１１０ｉは、タイム１１０ａからタイム１１０ｆまでの期間１１０ｊより小さくして設定する。
【００８３】
なお、この電流制御信号１１４ａにおける期間１１０ｉと期間１１０ｊの関係は、電流制御信号１１４ｂにおいても同様である。
【００８４】
例えば、期間１１０ｊが１０ｕｓｅｃであれば、期間１１０ｉは、１０ｕｓｅｃ以下に設定する必要がある。このため、例えばコンデンサ４０ｃの容量値を１０ｎＦとし、抵抗４０ｂの抵抗値を５００Ωとする。
【００８５】
この期間１１０ｉは、（数３）で表されるように、抵抗４０ｂの抵抗値Ｒとコンデンサ４０ｃの容量値Ｃによる時定数Ｃ＊Ｒによりほぼ決定される。
【００８６】
【数３】
2008141716.tif 000005
【００８７】
これにより、期間１１０ｉを略５ｕｓｅｃとできる。
【００８８】
さらに、信号１１３ａ、１１３ｂ以外の信号の無い時間においては、コンデンサ４０ｃの充電電圧が電流制御回路４１の負荷により短時間に放電されることになる。すなわち、タイム１１０ｄにおいてバースト信号１１３が立ち下がり、タイム１１０ｍにおいて電流制御信号１１４は０Ｖとできる。
【００８９】
このようにして、電流制御信号１１４ａの立ち上がりタイム１１０ｈは、最初に立ち上がる出力レベル１１１ａを検出し、バースト信号１１３ａの立ち上がり期間１１０ｊ内に立ち上げることができる。また、電流制御信号１１４ａの立ち下がりタイム１１０ｍは、バースト信号１１３ａの立ち下がりタイム１１０ｄにより決定される。
【００９０】
この電流制御信号１１４ａは、バースト信号１１３ｂに対応した電流制御信号１１４ｂにおいても同様である。
【００９１】
このようにして、電流制御部４２からの電流制御信号１１４を用いて、送信信号のある期間１１１ｅに対応させて期間１１１ｎでは、高周波増幅器２６の電流値を４０ｍＡと大きく設定し、送信信号のない期間１１１ｆに対応させて期間１１１ｐでは、高周波増幅器２６の電極流値を８ｍＡと小さく設定することができる。
【００９２】
なお、期間１１１ｐは、電流制御信号１１４ａの立ち下がりタイム１１０ｍから電流制御信号１１４ｂの立ち上がりタイム１１０ｋまでの時間としている。
【００９３】
以上のように、バースト信号１１３ａの出力レベル１１１ａから出力レベル１１１ｂになる前に、電流制御信号１１４を用いて高周波増幅器２６の電流値を大きく設定できる。このため、高周波増幅器２６では、信号１１３ａによる歪を抑圧することができる。また、期間１１１ｎ（５７０ｕｓｅｃ）のみ電流値を大きく設定することができるので、消費電力を大幅に削減することができる。
【００９４】
なお、電流制御信号１１４ａの立ち上がりタイム１１０ｈは、信号１１３ａの立ち上がりタイム１１０ｇより以前としてもよい。
【００９５】
このようにして、送信信号を検出した場合には、電流制御部４２により高周波増幅器２６の電流を大きくする。これにより、携帯電話２３で通話中であっても、高周波増幅器２６は、送信信号により歪が発生することがないので、高品質なテレビ受信が可能となる。
【００９６】
また、テレビ用入力端子２５と第１のフィルタ２７との間に高周波増幅器２６を挿入しているので、受信感度の劣化を改善できる。
【００９７】
さらに、送信信号がないか、あるいは小さい場合には、高周波増幅器２６の電流を小さくする。これにより、通話中でない場合には、消費電力を削減できる。
【００９８】
また、テレビ用入力端子２５と高周波増幅器２６の間に第２のフィルタ１２０（図示せず）を挿入してもよい。この第２のフィルタ１２０は、送信信号を２０〜３０ｄＢ抑圧できるものとし、第１のフィルタ２７の送信信号に対する抑圧量より小さく設定している。
【００９９】
また、例えば、携帯電話装置のさらなる小型化が進むと、携帯電話用アンテナ２４からテレビ用アンテナ２１までのアイソレーションＶｉｓｏがますます劣化することになる。この場合においても、第２のフィルタ１２０により送信信号を２０〜３０ｄＢ抑圧できる。従って、受信感度が損なわれることなく、さらなる小型化サイズの携帯電話装置を実現できる。
【０１００】
（実施の形態２）
図８は、実施の形態２における携帯電話装置４２０のブロック図である。実施の形態１の携帯電話装置２０では、電流制御部４２は第３のフィルタ３８と、検出回路４０と、電流制御回路４１とから構成されていた。この電子チューナ２２の検出回路４０には、ＵＨＦ放送信号と携帯電話２３からの大きな送信信号が入力される。
【０１０１】
このため、検出回路４０において歪信号が重畳したＵＨＦ放送信号が発生する。このＵＨＦ放送信号は、第１のフィルタ２７の入力である信号ラインに逆流し、妨害信号となってしまう。
【０１０２】
これに対して、本実施の形態における携帯電話装置４２０では、電流制御部４４２は、フィルタ４３８と検出回路４０との間に高周波増幅器３９を挿入している。さらに、高周波増幅器２６の出力と第１のフィルタ２７の入力と電流制御部４４２の入力との間に抽出回路４３７を挿入している点が異なっている。
【０１０３】
なお、実施の形態１と同じものについては同符号を付して説明を簡略化している。
【０１０４】
図８において、携帯電話装置４２０は、電子チューナ４２２と、携帯電話２３とから構成されている。この電子チューナ４２２において、高周波増幅器２６の出力には抽出回路４３７の入力端子４３７ａが接続されている。また、抽出回路４３７の出力端子４３７ｂには第１のフィルタ２７の入力端子２７ａが接続されている。
【０１０５】
さらに、抽出回路４３７の出力端子４３７ｃにはフィルタ４３８の入力端子４３８ａが接続されている。このフィルタ４３８の出力端子４３８ｂには、高周波増幅器３９の入力が接続されている。この高周波増幅器３９の出力には、検出回路４０の入力が接続されている。この検出回路４０の出力には、電流制御回路４１の入力が接続されている。この電流制御回路４１の出力は、高周波増幅器２６の電流制御用入力２６ａに接続されている。
【０１０６】
図９は、図８の抽出回路４３７の他の一例である方向性結合器４３９の回路図である。この方向性結合器４３９に設けられた入力端子４３９ａ、出力端子４３９ｂ、４３９ｃは、抽出回路４３７の入力端子４３７ａ、出力端子４３７ｂ、４３７ｃにそれぞれ対応している。
【０１０７】
図９において、入力端子４３９ａと出力端子４３９ｂとの間には、共振器４３９ｄと、この共振器４３９ｄに近接して配置することにより方向性結合器とした共振器４３９ｅと、この共振器４３９ｅの一端とグランド間に接続した５０Ωの抵抗４３９ｆと、共振器４３９ｅの他端に接続された出力端子４３９ｃとから構成されている。
【０１０８】
なお、共振器４３９ｄ、４３９ｅは、共にＵＨＦ放送信号の周波数の略λ／４の波長の長さを有することが望ましい。
【０１０９】
以上のように、共振器４３９ｄ、４３９ｅにより方向性結合器としているので、入力端子４３９ａから出力端子４３９ｂの伝送損失を、略０．５ｄＢと小さくできる。また、出力端子４３９ｃから出力される信号レベルは、出力端子４３９ｂから出力される信号レベルより小さくできる。さらに、出力端子４３９ｃから出力端子４３９ｂへのアイソレーションを、略２０ｄＢと大きくできる。
【０１１０】
図１０は、図８の抽出回路４３７の一例である電力分配器４４０の回路図である。この電力分配器４４０に設けられた入力端子４４０ａ、出力端子４４０ｂ、４４０ｃは、抽出回路４３７の入力端子４３７ａ、出力端子４３７ｂ、４３７ｃにそれぞれ対応させている。
【０１１１】
図１０において、入力端子４４０ａと出力端子４４０ｂとの間には、インダクタ４４０ｄが接続されている。入力端子４４０ａと出力端子４４０ｃとの間にはインダクタ４４０ｅが接続されている。入力端子４４０ａとグランド間にはコンデンサ４４０ｆが接続されている。出力端子４４０ｂ、４４０ｃ間には、コンデンサ４４０ｇおよび抵抗４４０ｈが接続されている。
【０１１２】
インダクタ４４０ｄのインダクタンスは、略１２ｎＨとしている。インダクタ４４０ｅのインダクタンスは、略１２ｎＨとしている。コンデンサ４４０ｆの容量値は、略３ｐＦとしている。コンデンサ４４０ｇの容量値は、略６ｐＦとしている。抵抗４４０ｈの抵抗値は、略１００Ωとしている。
【０１１３】
以上のようにして、入力端子４４０ａからの信号は、電力分配器４４０により出力端子４４０ｂ、４４０ｃから２分配されて出力される。この出力端子４４０ｂ、４４０ｃ間は、略２０ｄＢの大きなアイソレーションを得ることができる。
【０１１４】
このように、高周波増幅器３９、方向性結合器４３９あるいは電力分配器４４０により、検出回路４０から第１のフィルタ２７の入力端子２７ａまでのアイソレーションを十分に確保できる。
【０１１５】
従って、たとえ大きな送信信号による検出回路４０での非直線歪成分がＵＨＦ放送信号に重畳したとしても、このＵＨＦ放送信号の第１のフィルタ２７の入力である信号ラインへの流入を防止することができる。
【０１１６】
このため、携帯電話２３が通話中であっても、妨害が発生することがないので、高品質なテレビ受信が可能となる。
【０１１７】
なお、検出回路４０から第１のフィルタ２７の入力端子２７ａまでのアイソレーションを確保するため、抽出回路４３７を用いないで、高周波増幅器２６の出力と第１のフィルタ２７の入力端子２７ａとの接続点と検出回路４０との間に、アイソレータを挿入しても同様の効果を得ることができる。
【０１１８】
このように構成された携帯電話装置４２０もやはり、実施の形態１で述べた携帯電話装置２０と同様の効果を奏するものである。
【産業上の利用可能性】
【０１１９】
本発明にかかる電子チューナは、携帯電話２３が通話中であっても、この携帯電話による影響を受けることなく、テレビ放送信号を受信することができるので、携帯電話装置等に内蔵される電子チューナとして有用である。
【図面の簡単な説明】
【０１２０】
【図１】本発明の実施の形態１における携帯電話装置のブロック図
【図２】同、テレビ放送信号と携帯電話の送信信号の関係を表す図
【図３】（ａ）は同、電流に対する増幅度の特性図、（ｂ）は同、電流に対する雑音指数の特性図、（ｃ）は同、電流に対するＶ（Ｐ１ｄＢ）の特性図
【図４】同、入力信号レベルに対する電子チューナのＢＥＲの特性図
【図５】同、第１のフィルタの回路図
【図６】同、第１のフィルタの選択特性図
【図７】同、送信信号および電流制御信号のタイムチャート
【図８】本発明の実施の形態２における携帯電話装置のブロック図
【図９】同、方向性結合器を用いた抽出回路の回路図
【図１０】同、電力分配器を用いた抽出回路の回路図
【図１１】従来における携帯電話装置のブロック図
【符号の説明】
【０１２１】
２０  携帯電話装置
２２  電子チューナ
２２ａ  入力端子
２３  携帯電話
２５  テレビ用入力端子
２６  高周波増幅器
２６ａ  電流制御用入力
２７  第１のフィルタ
２９  高周波増幅器
３０  発振器
３２  混合器
３５  テレビ用出力端子
４２  電流制御部
【図１】
2008141716.tif 000006
【図２】
2008141716.tif 000007
【図３】
2008141716.tif 000008
【図４】
2008141716.tif 000009
【図５】
2008141716.tif 000010
【図６】
2008141716.tif 000011
【図７】
2008141716.tif 000012
【図８】
2008141716.tif 000013
【図９】
2008141716.tif 000014
【図１０】
2008141716.tif 000015
【図１１】
2008141716.tif 000016